(57)【要約】【課題】本発明は、簡単にキャビネットに取り付けできる電線サポート金具２を提供することを目的としている。【解決手段】本発明に係る電線サポート金具２は、キャビネットの背面に設置される支持体３と、支持体３と接続される固定体４とから構成され、支持体３に対して固定体４は取り付け位置が可変で、電線サポート金具２の長さを変更可能とし、キャビネットの背面と前面枠とで挟んで、任意の位置に任意の寸法で取り付け可能とすることを特徴とする。【選択図】図１
2008295132.tif 000002
【特許請求の範囲】
【請求項１】
各種電気機器・通信機器を収納するキャビネットにおける前記電気機器を配線する電線を結束するための電線サポート金具であって、前記キャビネットの背面に設置される支持体と、該支持体と接続される固定体とから構成され、前記支持体に対して前記固定体は取り付け位置が可変で、前記電線サポート金具の長さを変更可能とし、前記キャビネットの背面と前面枠とで挟んで取り付けられることを特徴とする電線サポート金具。
【請求項２】
前記電線サポート金具であって、前記固定体には、さらに可動体を取り付け、前記固定体と可動体とは互いに嵌合可能であるように接合部に傾斜を設けると共に、前記固定体には長孔を、前記可動体にはねじ穴とを設け、ねじをねじ止め体を介して前記長孔とねじ穴とに挿通し、前記ねじの締め具合により前記電線サポート金具の長さを微調整可能とすることを特徴とする請求項１に記載の電線サポート金具。
【請求項３】
前記電線サポート金具であって、設置された後のキャビネットに後付け可能とすることを特徴とする請求項１または、請求項２に記載の電線サポート金具。
【発明の詳細な説明】
【技術分野】
【０００１】
本発明は、各種電気機器・通信機器を収納するキャビネットにおける電気機器を配線する電線を結束するための電線サポート金具に関するものである。
【背景技術】
【０００２】
従来のキャビネットには、特に電線を支持するための機構は設けられず、電線は適当な場所で結束し、縛り付けていた。
【０００３】
配線量や結束位置が予めわかっている場合には、電線を結束できる支持金具を溶接で取り付けたり、穴加工を施して形成したりしていた。
【特許文献１】特開平７−２６４７３２号公報
【発明の開示】
【発明が解決しようとする課題】
【０００４】
電線を支持する機構が設けられていないため、電線を結束支持させる場所を確保する作業が面倒であった。その都度その作業が必要となり、作業性が悪くなっていた。
【０００５】
必要が生じる都度、特別に支持金具を製作したり、穴加工をしたりしなくてはならず、いちいち手間がかかり、作業が煩雑であった。予め支持金具を取り付けていた場合でも、予定と実際の配線の様子が異なった場合、縛り付けたい場所に支持金具が設置されていないことがあった。
【課題を解決するための手段】
【０００６】
そこで本発明は、簡単にキャビネットに取り付けできる電線サポート金具を提供することを目的とし、その構造は、キャビネットの背面に設置される支持体と、支持体と接続される固定体とから構成され、支持体に対して固定体は取り付け位置が可変で、電線サポート金具の長さを変更可能とし、キャビネットの背面と前面枠とで挟んで取り付けられることを特徴とする。
【０００７】
また、固定体には、さらに可動体を取り付け、固定体と可動体とは互いに嵌合可能であるように接合部に傾斜を設けると共に、固定体には長孔を、可動体にはねじ穴とを設け、ねじをねじ止め体を介して長孔とねじ穴とに挿通し、ねじの締め具合により電線サポート金具の長さを微調整可能とすることを特徴とする。
【０００８】
また、設置された後のキャビネットに後付け可能とすることを特徴とする。
【発明の効果】
【０００９】
本発明に係る電線サポート金具は、キャビネットの底面に設置される支持体と、支持体と接続される固定体とから構成され、支持体に対して固定体は取り付け位置が可変で、電線サポート金具の長さを変更可能とし、キャビネットの底面と天面とで挟んで取り付けられるため、設置後のキャビネットに溶接や穴加工等の煩雑な作業をすることなく、簡単に電線サポート金具を取り付けることができる。電線サポート金具の長さが変更できるので、キャビネットの内側高さに合わせて調節できる。
【００１０】
また、固定体には、さらに可動体を取り付け、固定体と可動体とは互いに嵌合可能であるように接合部に傾斜を設けると共に、固定体には長孔を、可動体にはねじ穴とを設け、ねじをねじ止め体を介して長孔とねじ穴とに挿通し、ねじの締め具合により電線サポート金具の長さを微調整可能とするため、一種類の電線サポート金具で、適用範囲内のさまざまな寸法のキャビネットに取り付けが可能である。ねじの締め付けにより長さ寸法の微調整が可能であるため、実際にキャビネットに取り付けながら、簡単に調整できる。
【００１１】
また、設置された後のキャビネットに後付け可能とするため、キャビネットに収納された機器や、その配線の量など状態を把握し、最良の位置に電線サポート金具を取り付けることができ、機器の操作性も向上する。
【発明を実施するための最良の形態】
【００１２】
本発明に係る電線サポート金具の実施例を図１〜図２の添付図面に基づいて説明する。
【００１３】
板状のパネルを向かい合わせに平行に設けてキャビネット１が構成される。キャビネット１にはレールを敷設して機器を取り付けたり、マウントアングルを配設して機器を固定したりして用いる。キャビネット１に収納される機器は電線等で接続される。本発明は、これら電線を結束支持させるための電線サポート金具２に関する。
【００１４】
電線サポート金具２は、支持体３と、支持体３と接続される固定体４とから構成される。支持体３には、キャビネット１に設置される脚部５が形成され、また、固定穴６が複数個設けられる。固定体４は、支持体３に対向する形状とし、固定穴６に対向する螺子挿通孔７を設ける。固定穴６と螺子挿通孔７とは任意に選択可能で、固定穴６と螺子挿通孔７とにそれぞれ固定ねじ８を挿通し、電線サポート金具２の長さを変更可能とする。
【００１５】
設置後のキャビネット１に、例えば、背面と前面枠、左側板と右側板のように、平行に設けられている面に挟ませるように電線サポート金具２を取り付ける。電線サポート金具２を取り付けたい部分の寸法に合わせて、支持体３と固定体４との接続位置を変更することで、同じ部品で複数寸法のキャビネット１に取り付けが可能である。
【００１６】
固定体４には、可動体９を取り付けることができ、可動体９の固定位置により電線サポート金具２の長さの微調整をする。固定体４と可動体９とは互いに嵌合可能であるように、それぞれ嵌合凸部１０と嵌合凹部１１とを形成している。それぞれの嵌合凸部１０と嵌合凹部１１との接合部には、嵌合凸部１０と嵌合凹部１１がスライド移動可能なように傾斜が設けられる。可動体９にはねじ穴１２が設けられ、固定体４には螺子挿通孔７とは別に可動体９のねじ穴１２に対向する長孔１３が設けられる。固定体４と可動体９との接続は、長孔１３とねじ穴１２とにそれぞれ接続ねじ１４を挿通し行われるが、固定体４には長孔１３が設けられ、固定しにくいためタップ穴１５を有するねじ止め体１６を介して、接続ねじ１４を挿通し確実に固定する。
【００１７】
固定体４と可動体９の接続は、嵌合凸部１０と嵌合凹部１１とを互いに嵌合させるが、傾斜が設けられていることと、可動体９にはねじ穴１２が、ねじ止め体１６にはタップ穴１５が設けられることで、可動体９は固定体４に対して、傾斜の範囲内において浅い位置から深い位置まで取り付け位置を変えることができる。接続ねじ１４の締め付け量により、可動体９は固定体４の高い位置に接続されたり、低い位置に接続されたりすることができる。また、その接続位置に変更は、接続ねじ１４を締め付けるほど、高い位置に、締め付けをゆるくすることで低い位置に固定することができる。
【００１８】
可動体９のキャビネット１に当接される部分には係止部１７を形成し、キャビネット１のパネル受け金具等の内側への突起部分に、可動体９を係止させる。キャビネット１に押さえつけるだけでなく係止されるため、確実な取り付けが可能となる。
【００１９】
支持体３の端部には爪１８を、また、可動体９の端部にも爪１９を形成する。爪１８は脚部５より、爪１９は係止部より突出しており、電線サポート金具は、爪１８、爪１９がそれぞれ、キャビネット１に食い込むような形で取り付けられ、電線サポート金具２がずれにくい構造となっている。
【００２０】
電線サポート金具２は、平行である面のどこにでも取り付けられるので、収納された機器や配線の状況を把握した上で後付けでき、電線を紐や結束バンドで束ねて電線サポート金具２に括り付けて、キャビネット１内部の電線を整理し、機器の操作時に邪魔にならないようにする。
【産業上の利用可能性】
【００２１】
電線サポート金具は、支持体、固定体との組み合わせで、長さの調節が可能であり、平行な面の間に挟みこませて取り付けるので、特別な加工をすることなく、設置後のキャビネットに取り付けることができ、同じ部品でさまざまな寸法のキャビネットに適用可能である。
【図面の簡単な説明】
【００２２】
【図１】電線サポート金具の構造を示す説明図である。
【図２】電線サポート金具をキャビネットに取り付けた状態を示す説明図である。
【符号の説明】
【００２３】
１    キャビネット
２    電線サポート金具
３    支持体
４    固定体
５    脚部
６    固定穴
７    螺子挿通孔
８    固定ねじ
９    可動体
１０  嵌合凸部
１１  嵌合凹部
１２  ねじ穴
１３  長孔
１４  接続ねじ
１５  タップ穴
１６  ねじ止め体
１７  係止部
１８  爪
１９  爪
【図１】
2008295132.tif 000003
【図２】
2008295132.tif 000004